(57)【要約】【課題】大判広幅の記録装置では複数の記録ヘッドを保持する保持部材をキャリッジに対して安定して保持したままギャップ調整を行うことが困難になっている。【解決手段】複数の記録ヘッド２０を保持するヘッドベース２１と、ヘッドベース２１を昇降可能に支持するキャリッジ５と、キャリッジ５を移動可能に保持するガイドロッド３と、ヘッドベース２１をキャリッジ５に対して昇降させる昇降機構２２とを備え、キャリッジ５にはヘッドベース２１の昇降を案内する複数のガイド軸３１Ａ〜３１Ｆが設けられ、複数ガイド軸３１Ａ〜３１Ｆの内のガイドロッド３に最も近いガイド軸３１Ａをキャリッジ５に対するヘッドベース２１の位置を決める位置決め軸とした。【選択図】図２
2010030270.tif 000002
【特許請求の範囲】
【請求項１】
液滴を吐出する複数の記録ヘッドを搭載したベース部材と、
前記ベース部材を昇降可能に支持するキャリッジと、
前記キャリッジを移動可能に保持するガイド部材と、
前記ベース部材を前記キャリッジに対して昇降させる昇降手段と、を備え、
前記キャリッジには前記ベース部材の昇降を案内する複数のガイド軸部材が設けられ、前記複数ガイド軸部材の内の１つは、前記キャリッジに対する前記ベース部材の位置を決める位置決め軸部材である
ことを特徴とする画像形成装置。
【請求項２】
請求項１に記載の画像形成装置において、前記位置決め軸部材は、複数のガイド軸部材の内の前記ガイド部材側のガイド軸部材であることを特徴とする画像形成装置。
【請求項３】
請求項１に記載の画像形成装置において、前記位置決め軸部材は、複数のガイド軸部材の内の前記ベース部材の重心又は重心を通る前記ガイド部材と平行な線に近いガイド軸部材であることを特徴とする画像形成装置。
【請求項４】
請求項１ないし３のいずれかに記載の画像形成装置において、前記ベース部材は最も下降した位置で前記キャリッジに設けた位置出し部に直接当接して昇降方向の位置出しがされていることを特徴とする画像形成装置。
【請求項５】
請求項４に記載の画像形成装置において、複数の前記位置出し部は前記ベース部材の重心又は重心を通る前記ガイド部材と平行な線を挟んで前記ガイド部材に近い側と遠い側に設けられていることを特徴とする画像形成装置。
【請求項６】
請求項５に記載の画像形成装置において、３つの前記位置出し部は三角形状に配置されていることを特徴とする画像形成装置。
【発明の詳細な説明】
【技術分野】
【０００１】
本発明は画像形成装置に関し、特に液滴を吐出する記録ヘッドを搭載するキャリッジを備える画像形成装置に関する。
【背景技術】
【０００２】
プリンタ、ファクシミリ、複写装置、プロッタ、これらの複合機等の画像形成装置として、例えばインク液滴を吐出する記録ヘッドを用いたインクジェット記録装置などが知られている。このインクジェット記録装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙、メディアなどとも称される。）に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
なお、本願において、「画像形成装置」とは、紙、糸、繊維、布帛、皮革、金属、プラスチック、ガラス、木材、セラミックス等の媒体にインクを吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用いる。
【０００４】
シリアル型インクジェット記録装置では、記録ヘッドを搭載したキャリッジを主従のガイド部材に摺動自在に保持し、駆動モータ、タイミングベルト及びプーリなどの主走査移動機構によって主走査方向に移動走査される。
【０００５】
このようなインクジェット記録装置においては、用紙と記録ヘッドのノズル面との距離（ギャップ）を一定に保つ必要があり、ギャップが一定でないと、例えば往復印刷で滴着弾位置精度がずれて画像品質が低下することになる。また、用紙の厚みは用紙によって一定でないため、用紙のノズル面との間のギャップを調整することが必要になる。
【０００６】
そこで、従来からギャップ調整機構（手段）を備えることが知られている。ギャップ調整機構としては、キャリッジを移動可能に保持しているガイド部材及びフレームを昇降させることでキャリッジの高さ位置を変化させる構成、キャリッジのガイド部材を昇降させることでキャリッジの高さ位置を変化させる構成、用紙を搬送する搬送ベルトを昇降させる構成、記録ヘッドに対向配置されて用紙を案内するプラテン部材を昇降させる構成などがある。
【０００７】
また、キャリッジ上に、記録ヘッドを保持したヘッドホルダを載置するための一部が偏心した同形状の複数の軸と、複数の軸の間に架け渡され駆動力を伝達するための動力伝達部材と、偏心した軸の少なくとも一つに、該軸を回動させる回動手段と、を有し、複数の軸は互いに平行に配置され、回動手段を回動すると複数の軸が互いに同じ角度回動することによりヘッドホルダを上下に移動させる構成としたものもある。
【先行技術文献】
【特許文献】
【０００８】
【特許文献１】特開２００７−２２３２３２号公報
【特許文献２】特開２００５−８１７１７号公報
【特許文献３】特許第３８７４１０９号公報
【特許文献４】特許第３６１７６２６号公報
【発明の概要】
【発明が解決しようとする課題】
【０００９】
先ず、上述した主走査ガイド部材やフレームごとキャリッジを昇降させるなどして、記録ヘッドと用紙搬送面とのギャップを調整する構成にあっては、小型のインクジェット記録装置には向いているという利点がある。
【００１０】
しかしながら、特に所謂大判広幅メディアに画像形成を行う記録装置にあっては、主走査方向の長さが１０００ｍｍを超え１５００ｍｍ以上のものとなるため、主走査ガイド部材やフレーム及びキャリッジを含めると、キャリッジ全体の重量が１０ｋｇｆ以上と重くなり、主走査のガイド部材やフレームごとキャリッジを精度よく昇降させることは困難であるという課題がある。
【００１１】
一方、キャリッジに対して記録ヘッドを保持するヘッドホルダを昇降可能に配置し、ヘッドホルダをカム機構によって昇降させる構成は、昇降する部分の重量を軽量化できるという利点がある。
【００１２】
しかしながら、このような構成にあっては、キャリッジが、主走査移動機構のガイド部材で保持される部分及びタイミングベルトによって牽引される部分（支持・牽引部分）と、カム機構によって昇降されるヘッド部分に二体化してしまうことになる。そのため、キャリッジの駆動時には、主となる支持・牽引部分でヘッド部分を牽引することとなり、キャリッジの一部に大きな力が加わり、キャリッジが変形してしまうおそれがある。そのため、キャリッジが主走査駆動されると、その変形分だけ、ヘッド部分が動いてしまい、印字ズレが生じやすくなるという課題を生じる。
【００１３】
特に、複数の記録ヘッドを備えて一度の主走査で画像形成できる面積を大きくする構成を採用した場合、複数の記録ヘッドを保持する保持部材をキャリッジ（支持・牽引部分）に対して安定して保持することができなくなるとともに、複数の記録ヘッドと保持部材で構成される印字部（ヘッド部分）の高さ方向の倒れが生じやすくなり、印字部を水平に保つことができない。
【００１４】
本発明は上記の課題に鑑みてなされたものであり、複数の記録ヘッドをキャリッジに対して安定して精度良く昇降可能に保持できるようにすることを目的とする。
【課題を解決するための手段】
【００１５】
上記の課題を解決するため、本発明に係る画像形成装置は、
液滴を吐出する複数の記録ヘッドを搭載したベース部材と、
前記ベース部材を昇降可能に支持するキャリッジと、
前記キャリッジを移動可能に保持するガイド部材と、
前記ベース部材を前記キャリッジに対して昇降させる昇降手段と、を備え、
前記キャリッジには前記ベース部材の昇降を案内する複数のガイド軸部材が設けられ、前記複数ガイド軸部材の内の１つは、前記キャリッジに対する前記ベース部材の位置を決める位置決め軸部材である
構成とした。
【００１６】
ここで、前記位置決め軸部材は、複数のガイド軸部材の内の前記ガイド部材側のガイド軸部材である構成とできる。
【００１７】
また、前記位置決め軸部材は、複数のガイド軸部材の内の前記ベース部材の重心又は重心を通る前記ガイド部材と平行な線に近いガイド軸部材である構成とできる。
【００１８】
また、前記ベース部材は下降位置で前記キャリッジに設けた位置出し部に直接当接して昇降方向の位置出しがされている構成とできる。
【００１９】
この場合、複数の前記位置出し部は前記ベース部材の重心又は重心を通る前記ガイド部材と平行な線を挟んで前記ガイド部材に近い側と遠い側に設けられている構成とできる。３つの前記位置出し部は三角形状に配置されている構成とできる。
【発明の効果】
【００２０】
本発明に係る画像形成装置によれば、複数の記録ヘッドを搭載したベース部材を、キャリッジに設けた複数のガイド軸部材で案内して昇降可能に支持し、複数のガイド軸部材の内の１つはキャリッジに対するベース部材の位置を定める位置決め軸部材である構成としたので、複数の記録ヘッドを保持するベース部材をキャリッジに対して安定して精度良く昇降可能に保持できるようになり、特に大判広幅メディアに対応するためにキャリッジを大型化する場合でも高精度にギャップ調整を行うことができる。
【図面の簡単な説明】
【００２１】
【図１】本発明に係る画像形成装置としてのインクジェット記録装置の全体構成を示す斜視説明図である。
【図２】同記録装置の機構部の模式的平面説明図である。
【図３】ヘッドベースを最下降位置にしたときの図２の模式的右側面説明図である。
【図４】同じく図２の模式的左側面説明図である。
【図５】同じく模式的正面説明図である。
【図６】ヘッドベースを最も上昇させた位置における図２の模式的右側面説明図である。
【図７】同じく図２の模式的左側面説明図である。
【図８】同じく模式的正面説明図である。
【図９】位置決め部とするガイド軸の位置とキャリッジ加速度が大きい場合及び加速度が小さい場合の印字ズレへの影響の実験結果の一例を示す説明図である。
【図１０】ヘッドベースの初期位置（高さ位置）を決める位置出し部の他の配置例の説明に供する模式的平面説明図である。
【図１１】ヘッドベースを昇降させる昇降機構の他の例の説明に供する模式的平面説明図である。
【図１２】ヘッドベースを最も下降した位置における昇降機構の概略模式的側面説明図である。
【図１３】ヘッドベースを最も上昇した位置における昇降機構の概略模式的側面説明図である。
【発明を実施するための形態】
【００２２】
以下、本発明の実施形態について添付図面を参照して説明する。本発明に係る画像形成装置としてのインクジェット記録装置の一例について図１ないし図４を参照して説明する。なお、図１は同記録装置の全体構成を示す斜視説明図、図２は同記録装置の機構部の模式的平面説明図、図３はヘッドベースを最下降位置にしたときの図２の模式的右側面説明図、図４は同じく図２の模式的左側面説明図、図５は同じく模式的正面説明図である。
【００２３】
このインクジェット記録装置は、シリアル型インクジェット記録装置であり、記録装置本体１と、記録装置本体１を支持する支持台２とを備えている。
【００２４】
記録装置本体１の内部には、図示しない両側板にガイドロッド３及びガイドレール４が掛け渡され、これらのガイドロッド３及びガイドレール４にキャリッジ５が図１で矢示Ａ方向（主走査方向）に摺動可能に保持されている。なお、ガイドレール４とは図３に示すように回転可能に支持された副ガイドローラ６が当接する構成としている。
【００２５】
そして、キャリッジ３を移動走査する主走査機構は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回されたタイミングベルト（ベルト部材）１４とを備えている。なお、従動プーリ１３はテンションスプリング１５によって外方（駆動プーリ１２に対して離れる方向）にテンションが架けられている。
【００２６】
ここで、駆動プーリ１２と従動プーリ１３は、インク滴吐出方向に沿う方向にプーリ軸方向が位置する配置としている。そして、これらの駆動プーリ１２と従動プーリ１３との間に掛け回されたベルト部材１４は、キャリッジ５の背面側に設けたベルト固定部７に一部分が固定保持されていることで、主走査方向と直交する方向におけるキャリッジ５の一方側に配置されている。
【００２７】
また、キャリッジ５には、ブラック（Ｋ）、イエロー（Ｙ）、マゼンタ（Ｍ）、シアン（Ｃ）の各色のインク滴を吐出するノズル２０ｎを有する液体吐出ヘッドからなる１０個の記録ヘッド２０ｋ１、２０ｋ２、２０ｋ３、２０ｋ４、２０ｙ１、２０ｙ２、２０ｍ１、２０ｍ２、２０ｃ１、２０ｃ２（色を区別しないときは「記録ヘッド２０」という。）を搭載したヘッドベース（ベース部材）２１が昇降可能に配置されている。ここで、ブラックの記録ヘッド２０ｋ１、２０ｋ２と２０ｋ３、２０ｋ４、その他の色の２つの記録ヘッドは、それぞれ主走査方向及び主走査方向と直交する方向（用紙送り方向：副走査方向）に位置をずらして配置されている。
【００２８】
また、キャリッジ５の主走査方向に沿ってキャリッジ５の主走査位置を検知するためのエンコーダシート（リニアスケール）１７が配置され、キャリッジ５に設けたエンコーダセンサ１８によってエンコーダシート１７を読取るようにしている。
【００２９】
一方、このキャリッジ５の主走査領域のうち、記録領域では、用紙１０が図示しない紙送り機構によってキャリッジ５の主走査方向と直交する方向（副走査方向：矢示Ｂ方向）にプラテン部材１９で案内されて間欠的に搬送される。プラテン部材１９は、キャリッジ５に主走査領域に沿って少なくとも記録領域で記録ヘッド２０に対向して配設されている。
【００３０】
また、主走査領域のうちの一方の端部側領域には記録ヘッド６の維持回復を行う維持回復機構８が配置されている。さらに、主走査方向のキャリッジ移動領域外又はキャリッジ移動領域の他方の端部側の下方には記録ヘッド２０に供給する各色のインクを収容したメインカートリッジ９が記録装置本体１に対して着脱自在に装着される。
【００３１】
このインクジェット記録装置では、キャリッジ５を主走査方向に移動し、用紙１０を間欠的に副走査方向に送りながら、記録ヘッド２０を画像情報に応じて駆動して液滴を吐出させることによって、用紙１０上に所要の画像が形成される。
【００３２】
次に、記録ヘッド２０と用紙１０との間のギャップを調整するギャップ調整機構の詳細について図６ないし図８をも参照して説明する。なお、図６はヘッドベースを最も上昇させた位置における図２の模式的右側面説明図、図７は同じく図２の模式的左側面説明図、図８は同じく模式的正面説明図である。
【００３３】
前述したように、キャリッジ５には、１０個の記録ヘッド２０を保持するベース部材であるヘッドベース２１を上下方向に移動可能（昇降可能）に搭載しており、カム機構を用いた昇降機構（手段）２２によってヘッドベース２１をキャリッジ５に対して昇降することにより、記録ヘッド２０のノズル面と用紙１０とのギャップを適切な距離に調整することができる。
【００３４】
ここで、複数の記録ヘッド１０はヘッドベース２１に対して高精度に位置決めされて固定されている。一方、キャリッジ５には、ヘッドベース２１の昇降を案内する複数本（ここでは６本とする。）のガイド軸（ガイド軸部材：昇降軸）３１Ａ、３１Ｂ、３１Ｃ、３１Ｄ、３１Ｅ、３１Ｆが、主走査方向の両端部に主走査方向と直交する方向に並べて配設されている。ヘッドベース２１はこれらのガイド軸３１Ａ〜３１Ｆが昇降自在に挿通されている。なお、ガイド軸３１Ａ〜３１Ｆはキャリッジ５に圧入して取り付けている。
【００３５】
これらの６本のガイド軸３１Ａ〜３１Ｆのうち、キャリッジ５に対するヘッドベース２１の位置決めを行うために、ガイド軸３１Ａを位置決め用の基準となる位置決め軸（位置決め軸部材；基準軸部材）とし、キャリッジ５に対してヘッドベース２１を高精度に位置決めすることで、各記録ヘッド２０をキャリッジ５に対して高精度に位置決めして保持している。
【００３６】
この位置決め軸であるガイド軸３１Ａは、複数のガイド軸３１Ａ〜３１Ｆの内のキャリッジ５の主走査方向移動をガイドするガイド部材であるガイドロッド３側のガイド軸である。
【００３７】
ここで、位置決め軸とは、他のガイド軸よりも高精度に位置を決めることが可能な軸を指し、具体的には、ガイド軸３１Ａの径とヘッドベース２１に開口しガイド軸３１Ａが通る軸受け部の径の差を、他のガイド軸の径と軸受け部の径の差よりも小さくすることにより形成することができる。
【００３８】
また、図８においては、ガイド軸は円柱状のもので構成しているが、面同士がスライドするスライド軸で構成することもできる。円柱状の軸では、軸と軸受け部の径の差を主走査、副走査両方向に同等に形成せざるをえないが、スライド軸であればスライド部と受け部の寸法差を主走査、副走査間で差をつけることが可能であり、キャリッジ駆動時にキャリッジに対するずれや変形の生じやすい主走査側の寸法差を小さくすることで駆動時の記録位置のずれを小さくすることもできる。また、位置決め軸をスライド軸で他のガイド軸を円柱状の軸で形成することも可能である。なお、スライド軸は、例えば断面略四角形状の中空又は中実のスライド軸部材にスライダ部材を移動可能に装着したものである。
【００３９】
これにより、キャリッジ５の主走査に伴うキャリッジ５の変形などの影響を殆ど受けることなく、キャリッジ５に対してヘッドベース２１、すなわち、記録ヘッド２０を高い位置精度で保持することができる。
【００４０】
つまり、キャリッジ５は、前述した主走査機構のベルト部材１４によって牽引され、この主走査駆動によってキャリッジ５には加速負荷がかかることになり、この加速負荷によってキャリッジ５とヘッドベース２１の組立体（両者を併せて「キャリッジユニット」ともいう。）に対して変形応力がかかることになる。
【００４１】
このとき、キャリッジ５の主走査駆動の加速負荷による変形量はガイドロッド３に近いほど小さく、ガイドロッド３から離れるほど大きくなり、したがって、複数のガイド軸３１Ａ〜３１Ｆのうちガイドロッド３に近いほど圧入部位の変形量が少なく、ガイドロッド３から離れるほど大きくなる可能性がある。
【００４２】
そこで、キャリッジ５とヘッドベース１６の組立体（キャリッジユニット）としての剛性が高く、主走査駆動によってキャリッジ５に加速負荷が加わったとき、ガイドロッッド３に近く、キャリッジ５の変形が少ない位置のガイド軸３１Ａ（又はガイド軸３１Ｄでもよい。）を位置決め部となる位置決め軸部材とすることで、キャリッジ５に対するヘッドベース２１の位置決め精度を高精度に維持することができる。
【００４３】
このように、複数の記録ヘッドを搭載したベース部材を、キャリッジに設けた複数のガイド軸部材で案内して昇降可能に支持し、複数のガイド軸部材の内の１つはキャリッジに対するベース部材の位置を定める位置決め軸部材である構成とすることによって、複数の記録ヘッドを保持するベース部材をキャリッジに対して安定して精度良く昇降可能に保持できるようなり、特に大判広幅メディアに対応するためにキャリッジを大型化する場合でも高精度にギャップ調整を行うことができる。
【００４４】
この場合、位置決め軸部材は、複数のガイド軸部材の内のガイド部材側のガイド軸部材とすることで、位置決め精度をより高い精度に維持することできる。
【００４５】
また、キャリッジ５にはヘッドベース２１を上下方向に昇降させる昇降機構２２が備えられている。この昇降機構２２は、キャリッジ５の主走査方向両端部に、副走査方向にそってカムシャフト３３が回転可能に配設され、これらの各カムシャフト３３にはそれぞれ複数個（ここでは合計４個とする）のカム３４が固定され、２つのカムシャフト３３をタイミングベルト３５で連動して回転可能に連結し、一方のカムシャフト３３の端部には操作レバー３６を取り付けている。
【００４６】
ここで、４個のカム３４はヘッドベース２１の下面側に配置され、副走査方向に並ぶ２つのカム３４，３４は、図４に示すように副走査方向における前記重心Ｇを通る線Ｇ１からの距離ｘが同じになり、主走査方向に並ぶ２つのカム３４、３４は、図５に示すように主走査方向における重心Ｇを通るガイドロッド３と直交する線Ｇ２からの距離ｙが同じになる位置に配置している。これにより、４個のカム３４がヘッドベース２１の下面に当接してヘッドベース２１を上昇させたときに、ヘッドベース２１の水平状態を維持したまま安定して保持することができる。
【００４７】
これにより、操作レバー３６を回動操作することで、２つのカムシャフト３３が連動して回転され、４個のカム３４が同時に回転することによってヘッドベース３１は水平状態を保ったまま昇降させられる。
【００４８】
なお、ここでは、４個のカムを用いた場合を示しているが、カムの数は３個以上であれば同様の機能を維持できる。また、図６の状態を安定に維持するためには、３つのカムで３点支持を行うことが好ましい。これは、カム自体の形状、取り付け等のばらつきにより、４点以上の支持では支持面が安定しない場合が考えられるためである。
【００４９】
また、キャリッジ５には、昇降機構２２を用いないとき（ヘッドベース２１を最も下降させたとき）に、ヘッドベース２１の下面が直接当接して、ヘッドベース２１の高さ位置を直接位置出しする位置出し部３７Ａ〜３７Ｆが設けられている。昇降機構２２のカム３４は、図３及び図４に示すように、ヘッドベース２１の下面が位置出し部３７に当接した状態では、ヘッドベース２１の下面から離間している状態（回転位置）になる。
【００５０】
したがって、ヘッドベース２１をキャリッジ５に対して最も下降させたときには、記録ヘッド２０と用紙搬送面（プラテン部材１９の上面）との距離（ギャップ）は図３に示すようにギャップ高さＨ１となり、昇降機構２２のカム３４を回転させてヘッドベース２１をキャリッジ５に対して最も上昇させたときには、記録ヘッド２０と用紙搬送面（プラテン部材１９の上面）との距離（ギャップ）は図６に示すようにギャップ高さＨ２（Ｈ２＞Ｈ１）となる。
【００５１】
この画像形成装置では、通常の用紙２０については記録ヘッド２０を用紙搬送面に対して高さＨ１にした状態（初期高さ位置にある状態）で使用し、厚さの厚い用紙を使用するときなどには記録ヘッド２０を用紙搬送面に対して高さＨ２にした状態で使用する。
【００５２】
このように、ヘッドベース２１とキャリッジ５の位置出し部３７との直接的な当接によって、ヘッドベース２１の初期高さ位置（通常使用状態）の高さ方向の位置出しを行うことで、簡単な構成で、昇降機構２２を使用しない通常の用紙の場合には、確実に記録ヘッド２０のノズル面と用紙とのギャップを一定に保つことができる。つまり、カム３４でヘッドベース２１を支持した状態を初期位置とした場合には、カム３４の部品寸法公差、組み付け公差など部品精度の積み上げ誤差が大きくなる可能性があるが、上述した構成とすることでキャリッジ５の位置出し部３７の精度で初期位置の精度を決めることができ、通常使用状態のギャップ精度を向上できる。
【００５３】
ここで、位置出し部３７はキャリッジ５のヘッドベース２１を案内するガイド軸３１Ａ〜３１Ｆを設けた位置に設けている。このとき、少なくとも、ヘッドベース２１の昇降を案内するガイド軸３１Ｂ、３１Ｅは、ヘッドベース２１の重心位置Ｇを通るガイドロッド３と平行な線Ｇ１（図２参照）上に設けられており、位置出し部３７Ｂ、３７Ｅはこれらのヘッドベース２１の副走査方向における重心を保持するガイド軸３１Ｂ、３１Ｅの位置に設けられているので、キャリッジ５にヘッドベース２１の高さ位置をヘッドベース２１と位置出し部３７の直接的な当接で規定するとき、重心上の位置でヘッドベース２１を安定支持することができる。
【００５４】
また、位置出し部３７では、ヘッドベース２１がキャリッジ５に対して容易に移動してしまわないように、ガイド軸３１に通したばね部材３８によってヘッドベース２１を位置出し部３７に向けて押圧している。このばね部材３８の押圧力は、昇降機構２２の操作レバー３６の回動操作に問題なく、かつヘッドベース２１を十分押圧保持できる圧力に設定されている。
【００５５】
ここで、位置決め部とするガイド軸（位置決め軸部材）の位置とキャリッジ加速度が大きい場合及び加速度が小さい場合の印字ズレへの影響の実験結果の一例について図９参照して説明する。
この実験結果から分かるように、ガイドロッド３側に最も近いガイド軸３１Ａ（ガイド軸３１Ｄでも同じ。）を位置決め軸とすることで、印字ずれ量は最も少なくなる。次に、ヘッドベース２１の重心位置Ｇを通るガイドロッド３と平行な線Ｇ１上にあるガイド軸３１Ｂ（ガイド軸３１Ｅでも同じ。）を位置決め軸とすることで、ガイドロッド３から最も離れたガイド軸３１Ｃを位置決め軸とする場合に比べて印字ずれ量が相対的に少なくなる。
【００５６】
したがって、位置決め軸とするガイド軸は、ガイドロッド（ガイド部材）に最も近いガイド軸が最も好ましく、二次的にはヘッドベースの重心位置Ｇを通るガイドロッドと平行な線上にあるガイド軸が好ましい。
【００５７】
このように、複数の記録ヘッドを搭載したベース部材を、キャリッジに設けた複数のガイド軸部材で案内して昇降可能の支持し、複数のガイド軸部材の内の１つはキャリッジに対するベース部材の位置を定める位置決め軸部材である構成とすることで、複数の記録ヘッドを保持するベース部材をキャリッジに対して安定して精度良く昇降可能に保持できるようなり、特に大判広幅メディアに対応するためにキャリッジを大型化する場合にでも高精度にギャップ調整を行うことができる。また、ガイド軸部材を用いることで、ベース部材の前後方向（副走査方向）へのずれを低減することができ、また、メンテナンス時やジャム時に、ベース部材を、位置精度を保ったまま大きく上昇させることができる。
【００５８】
そして、位置決め軸部材は、複数のガイド軸部材の内のガイド部材側のガイド軸部材である構成とすることで、印字ずれ量をより低減することができる。また、位置決め軸部材は、複数のガイド軸部材の内のベース部材の重心又は重心を通るガイド部材と平行な線上又は同線に近いガイド軸部材である構成とすることでも、相対的に印字ずれ量を低減することができる。
【００５９】
次に、ヘッドベース２１の初期位置（高さ位置）を決める位置出し部の他の配置例について図１０を参照して説明する。なお、図１０は同説明に供する図２と同様な模式的平面説明図である。
この例では、ヘッドベース２１の重心位置Ｇを挟んで位置出し部３７Ｈ、３７Ｉ、３７Ｊを三角形状に３箇所に配置した３点支持構成としている。この場合、位置出し部３７Ｈ、３７Ｉは重心位置Ｇよりもガイドロッド３側に近い側に、位置出し部３７Ｊは重心位置Ｇよりもガイドロッド３側に遠い側に配置している。このような３点支持構成でもヘッドベース２１を安定して高精度に位置出しすることができる。
【００６０】
次に、ヘッドベース２１を昇降させる昇降機構（昇降手段）の他の例について図１１ないし図１３を参照して説明する。なお、図１１は同説明に供する図２と同様な模式的平面説明図、図１２はヘッドベースを最も下降した位置における昇降機構の概略模式的側面説明図、図１３はヘッドベースを最も上昇した位置における昇降機構の概略模式的側面説明図である。
【００６１】
ここでは、キャリッジ５の主走査方向両端部に副走査方向に沿ってスライドカム４１、４１を副走査方向に移動可能に配設している。このスライドカム４１には、傾斜面であるカム面４２、４２が形成されている。また、スライドカム４１にはラック４３が形成されている。キャリッジ５側にはラック４３に噛み合うピニオン４５、４５が主走査方向に配置された軸４６に取付けられ、軸４６の一端部にはキャリッジ５の外側に配設されたギヤ４７が固定されている。このギヤ４７が図示しないモータなどの駆動源で回転されることで、スライドカム４１、４１が前後方向（副走査方向）に移動される。
【００６２】
一方、ヘッドベース２１の下面にはスライドカム４１のカム面４２が係合する傾斜面５２、５２を有する突部が形成され、図１２に示すようにスライドカム４１が矢示方向Ｃに移動されることで、図１３に示すように、カム面４２が傾斜面５２に当接してヘッドベース２１全体が矢示Ｄ方向に押し上げられる。これにより、ヘッドベース２１の記録ヘッド２０と用紙１０とのギャップを調整することができる。
【００６３】
また、スライドベース４１が初期位置にあるときには、図１２に示すように、スライドベース４１のカム面４２とヘッドベース２１の傾斜面５２とは離間し、ヘッドベース２１はキャリッジ５に設けた位置出し部３７に当接して初期高さ位置が決められる。
【符号の説明】
【００６４】
１…記録装置本体
２…支持台
３…ガイドロッド（ガイド部材）
５…キャリッジ
１９…プラテン部材
２０ｋ１〜２０ｋ４、２０ｙ１、２０ｙ２、２０ｍ１、２０ｍ２、２０ｃ１、２０ｃ２…記録ヘッド
２１…ヘッドベース（ベース部材）
２２…昇降機構
３１Ａ〜３１Ｆ…ガイド軸
３４…カム
３７Ａ〜３７Ｆ…位置出し部
４１…スライドカム
【図１】
2010030270.tif 000003
【図２】
2010030270.tif 000004
【図３】
2010030270.tif 000005
【図４】
2010030270.tif 000006
【図５】
2010030270.tif 000007
【図６】
2010030270.tif 000008
【図７】
2010030270.tif 000009
【図８】
2010030270.tif 000010
【図９】
2010030270.tif 000011
【図１０】
2010030270.tif 000012
【図１１】
2010030270.tif 000013
【図１２】
2010030270.tif 000014
【図１３】
2010030270.tif 000015